(57)【要約】【課題】人体に負電荷を効率良く供給し、肩こり及び腰痛等の筋肉痛の症状を軽減することができる家具を提供する。【解決手段】ベッド１０には、短辺の中央部に凹部１０ａ，１０ａが設けられており、この凹部１０ａ，１０ａに静電気軽減具４，４が収納されている。静電気軽減具４のモータを内蔵した円筒状のケースの一端側には、負に帯電したメタリックシリコンが封入されたガラス管が内蔵してあり、他端側には擬宝珠形の補助ガラス部が設けてある。モータの回転軸には偏心おもり部が取り付けてあり、この偏心おもり部の回転に伴い、ケ─スが振動し、ガラス管が振動し、ベッド１０が振動すべくなしてある。【選択図】        図１
2004180927.tif 000002
【特許請求の範囲】
【請求項１】
座臥するための台部を有する家具において、
負に帯電させた粒状又は粉末状のＳｉ，ＳｉＯｘ  （０＜ｘ≦２），Ａｌ，Ｐ，Ｇｅ，Ｓｎ，Ｐｂ，Ｎｉ又はＦｅを封入してあるガラス管を、筒状のケースの一端側に、前記ガラス管の一端部を向けた状態で内蔵してあり、前記ガラス管を振動させ、又は該ガラス管の中心軸回りに回転させるための駆動装置を有する静電気軽減具を前記台部又は該台部に付属する部分に備えることを特徴とする家具。
【請求項２】
前記ケースの他端側に、尖部を有し、負に帯電させた粒状又は粉末状のＳｉ又はＳｉＯｘ  （０＜ｘ≦２）が封入された補助ガラス部を備える請求項１記載の家具。
【請求項３】
ケースが銅製である静電気軽減具と、ケースがアルミニウム製である静電気軽減具とを交互に並設する請求項１又は２記載の家具。
【請求項４】
前記負に帯電させた粒状又は粉末状のＳｉ，ＳｉＯｘ  （０＜ｘ≦２），Ａｌ，Ｐ，Ｇｅ，Ｓｎ，Ｐｂ，Ｎｉ又はＦｅは、これらを、負に帯電した粒状又は粉末状のＳｉ又はＳｉＯｘ  （０＜ｘ≦２）を封入したガラス管を地中に埋設した場所で静置する第１過程と、該第１過程にて処理されたＳｉ，ＳｉＯｘ  （０＜ｘ≦２），Ａｌ，Ｐ，Ｇｅ，Ｓｎ，Ｐｂ，Ｎｉ又はＦｅを前記場所で焼成する第２過程とを有して得られる請求項１乃至３のいずかに記載の家具。
【請求項５】
前記負に帯電させた粒状又は粉末状のＳｉ，ＳｉＯｘ  （０＜ｘ≦２），Ａｌ，Ｐ，Ｇｅ，Ｓｎ，Ｐｂ，Ｎｉ又はＦｅは、これらを、負に帯電した石英坩堝内に静置する第１過程と、負に帯電した粒状又は粉末状のＳｉ又はＳｉＯｘ  （０＜ｘ≦２）を封入したガラス管を地中に埋設した場所で、前記第１過程にて処理されたＳｉ，ＳｉＯｘ  （０＜ｘ≦２），Ａｌ，Ｐ，Ｇｅ，Ｓｎ，Ｐｂ，Ｎｉ又はＦｅを焼成する第２過程とを有して得られる請求項１乃至３のいずれかに記載の家具。
【発明の詳細な説明】
【０００１】
【発明の属する技術分野】
本発明は、肩こり及び腰痛等の筋肉痛、その他の症状を改善するための家具に関する。
【０００２】
【従来の技術】
筋肉痛は、筋肉の緊張が亢進して生じ、いわゆる「こり」という自覚症状を伴うことが多い。筋肉がこる場合の最も一般的な原因は疲労である。疲労により筋肉の血液の循環に障害が生じると、酸素及びエネルギー源の供給が十分でなくなり、嫌気性解糖がさかんに行われるようになる。その結果、産生された乳酸等の疲労物質が蓄積されて、筋肉のタンパク質が膠質化学的変化を起こし、筋肉の硬度が増加して「こり」の状態になる。また、精神的緊張及び内蔵に疼痛の原因になるような疾患がある場合の筋肉の反射性緊張も筋肉の「こり」の原因となる。
【０００３】
「こり」は、筋肉内又はその筋肉が付着する骨膜に分布する知覚神経が筋肉の緊張により機械的刺激を受けるため、痛みとして自覚される。筋肉の血流障害が筋繊維の萎縮と筋繊維内脂肪湿潤とを引き起こし、引き続いて起こる限局性筋炎がの「こり」の原因となることもある。
【０００４】
いずれにしても、筋肉の緊張によって血流量が減少すると、微小血管拡張系が活動してカリウムイオン及び乳酸等の発痛物質の遊離が促進される。また、ｐＨが低下している筋組織では発痛物質を破壊する酵素の活動は抑制されており、阻血によって発痛物質の流出が妨げられ、筋肉内に蓄積されることも疼痛の発現の原因となる。
【０００５】
筋肉痛の予防は、筋肉を鍛えて疲労が起こりにくくすることが第一であると言われている。筋肉痛が生じた場合には、筋肉を休めて疲労を除き、温湿布及びマッサージ等で筋肉の血流を改善しなければならない。
また、古くから東洋医学の分野では、体内の器官を代表する体表のポイント（ツボ又は経穴という）を指圧したり、灸をすえたり、鍼をうつ等の方法で、経絡（体内の各器官とツボとを連絡している道）を流れている「気」と呼ばれるエネルギーの流れを改善し、直接触れることができない器官を治療することが行なわれている。
【０００６】上述した「こり」の部位及びツボのマッサージをするための従来のマッサージ具には、ハンマー型であって一端に設けられた握り部を握り、他端に設けられた槌部で患部を叩くもの、一端に設けられた握り部を握って他端に設けられた押圧部で患部を押圧するもの、及びペンシル型であって先端部を患部に当ててモータにより振動させるもの等がある。
しかしながら上述のマッサージ具では、筋肉の血流が充分には改善されず、各症状が充分に改善しないという問題があった。また、スポット的に押圧するので、全般的にマッサージするには、複数回、押圧位置を変えてマッサージする必要があった。
【０００７】
ところで、人体の体表面又は体内がプラスに帯電している場合、血液及びリンパ液等の体液、並びに気の流れが悪くなり、血圧上昇、血糖増加、血管収縮及び利尿抑制等の生体作用が生じ、その結果、細胞の活性が減じ、人は興奮しやすくなり、不快感があり、不眠になり、食欲が減退する等の症状が現れ、美容上のトラブル、筋肉痛等の健康障害及び疾病が誘発されることが知られている。
このような静電気を軽減する方法としては、物体の導電性を高めて電荷を迅速に逃す方法（例えば一端が地中に埋め込まれたアース線に接続する方法）、発生した電荷にアイソトープ、交流コロナ放電を利用した除電器で異極性のイオンを供給しこれを中和する方法、空中放電する方法等がある。
また、正の静電気を中和し、又は負に転じさせて美容上のトラブル、健康障害及び疾病の発生を防止するために、負電荷が発生する機能が付加された空気清浄機等の種々の機器、寝具（布団、枕）及び衣類等が開発されている。
【０００８】
しかしながら前者の方法では静電気を完全に除去することは困難であり、まして正の静電気を負に転じるには大がかりな装置が必要であった。
また、後者の機器等からは大気中に負電荷が拡散し、人体に直接作用する負電荷の量は少なく、人体に帯電している静電気の中和、即ち静電気の軽減除去が十分でなかった。従って、それらの機器等は十分に機能していないという問題があった。
【０００９】
そこで、本願発明者等は、負に帯電した粒状若しくは粉末状のＳｉ，ＳｉＯｘ  （０＜ｘ≦２），Ａｌ，Ｐ，Ｇｅ，Ｓｎ，Ｐｂ，Ｎｉ又はＦｅが封入されたガラス管の端部を患部に押圧して振動又は回転させることにより、人体に直接負電荷を供給して、人体に帯電している正電荷を中和、即ち静電気を軽減して、その結果、体液等の流れを良くし、筋肉痛等の症状を軽減することができる静電気軽減具を開発した（特許文献１及び特許文献２）。
【００１０】
【特許文献１】
国際公開第０１／５８５２１号パンフレット
【特許文献２】
特開２００２−２３９０１号公報
【００１１】
【発明が解決しようとする課題】しかし、上述の静電気軽減具は指向性が強く、患部にピンポイントに押圧するのには適しているが、広範囲にみられる症状を軽減させるためには位置を変えて何度も押圧しなければならず、効率が悪いという問題があった。
本願発明者等は、上述の静電気軽減具を椅子又はベッド等の家具に備えることにより、人体に効率良く負電荷を供給して人体に帯電している正電荷を中和、即ち静電気を軽減し、その結果、体液等の流れを良くし、筋肉痛等の症状を軽減することができることを見出した。
【００１２】
本発明は斯かる事情に鑑みてなされたものであり、負に帯電させた粒状若しくは粉末状のＳｉ，ＳｉＯｘ  （０＜ｘ≦２），Ａｌ，Ｐ，Ｇｅ，Ｓｎ，Ｐｂ，Ｎｉ又はＦｅが封入されたガラス管が振動又は回転する静電気軽減具を台部等に備えることにより、直接人体に負電荷を効率良く供給して人体に帯電している正電荷を中和、即ち静電気を軽減し、その結果、体液等の流れを良くし、筋肉痛等の症状を軽減することができる家具を提供することを目的とする。ここで、負に帯電するとは、負電荷を与えられること、負の静電気を帯びることを意味し、マイナスイオン化ともいう。Ｓｉの酸化物としては、ＳｉＯ２  又はＳｉＯだけでなく、ｘとして小数点付きの酸化物もあり、この存在は永見剛一が著した「ＳｉＯ蒸着膜の性質」という研究論文で明らかにされている。
【００１３】
また、本発明は、他端部に、尖部を有し、負に帯電させた粒状又は粉末状のＳｉ又はＳｉＯｘ  （０＜ｘ≦２）が封入された補助ガラス部を備えることにより、駆動装置の長寿命化を図ることができ、ガラス管の破損、及び不純物である二酸化鉄のガラス管内壁への付着を防止することができる静電気軽減具を台部等に備える家具を提供することを目的とする。
【００１４】
そして、本発明は、負に帯電したＳｉ等を封入したガラス管が埋設された場所でＳｉ等を静置し、又は負電荷が与えられた石英坩堝内にＳｉ等を静置し、その後、このＳｉ等を前記場所で焼成することにより、負電荷がＳｉ等に定着し、負電荷の経時的減少が抑制される静電気軽減具を備える家具を提供することを目的とする。
【００１５】
【課題を解決するための手段】
第１発明の家具は、座臥するための台部を有する家具において、負に帯電させた粒状又は粉末状のＳｉ，ＳｉＯｘ  （０＜ｘ≦２），Ａｌ，Ｐ，Ｇｅ，Ｓｎ，Ｐｂ，Ｎｉ又はＦｅを封入してあるガラス管を、筒状のケースの一端側に、前記ガラス管の一端部を向けた状態で内蔵してあり、前記ガラス管を振動させ、又は該ガラス管の中心軸回りに回転させるための駆動装置を有する静電気軽減具を前記台部又は該台部に付属する部分に備えることを特徴とする。
【００１６】
第１発明においては、静電気軽減具が負に帯電したＳｉ等が封入されたガラス管を備えており、このガラス管の端部から負電荷が放出される。負電荷が生体に供給され、患部に帯電していた正の静電気が軽減すると、体液等の流れが良くなり、血圧下降、血糖減少、血管拡張及び利尿促進等の生体作用が生じることが知られているが、この静電気軽減具を備えるベッド等の家具を使用することにより、人はベッドに横になった状態又は椅子に座った状態で、効率良く、直接的に負電荷を供給されて、体に帯電していた静電気が軽減する。その結果、筋肉痛等の症状が軽減する。
【００１７】
第２発明の家具は、第１発明において、前記ケースの他端部に、尖部を有し、負に帯電させた粒状又は粉末状のＳｉ又はＳｉＯｘ  （０＜ｘ≦２）が封入された補助ガラス部を備えることを特徴とする。
【００１８】
第２発明においては、静電気軽減具が他端部に補助ガラス部を備えており、その結果、使用する時間が短縮でき、駆動装置の長寿命化を図ることができるとともに、ガラス管の破損、及び不純物である二酸化鉄のガラス管内壁への付着を防止することができることが実験により確認されている。
【００１９】
第３発明の家具は、第１又は第２発明において、ケースが銅製である静電気軽減具と、ケースがアルミニウム製である静電気軽減具とを交互に並設することを特徴とする。
【００２０】
第３発明においては、銅及びアルミニウムそれぞれからなるケースを備える静電気軽減具を交互に並設するので、電位差が生じて電気が流れやすくなり、さらに、効率良く静電気が軽減する。
【００２１】
第４発明の家具は、第１乃至第３発明のいずれかにおいて、前記負に帯電させた粒状又は粉末状のＳｉ，ＳｉＯｘ  （０＜ｘ≦２），Ａｌ，Ｐ，Ｇｅ，Ｓｎ，Ｐｂ，Ｎｉ又はＦｅは、これらを、負に帯電した粒状又は粉末状のＳｉ又はＳｉＯｘ  （０＜ｘ≦２）を封入したガラス管を地中に埋設した場所で静置する第１過程と、該第１過程にて処理されたＳｉ，ＳｉＯｘ  （０＜ｘ≦２），Ａｌ，Ｐ，Ｇｅ，Ｓｎ，Ｐｂ，Ｎｉ又はＦｅを前記場所で焼成する第２過程とを有して得られることを特徴とする。
【００２２】
第５発明の家具は、第１乃至第３発明のいずれかにおいて、前記負に帯電させた粒状又は粉末状のＳｉ，ＳｉＯｘ  （０＜ｘ≦２），Ａｌ，Ｐ，Ｇｅ，Ｓｎ，Ｐｂ，Ｎｉ又はＦｅは、これらを、負に帯電した石英坩堝内に静置する第１過程と、負に帯電した粒状又は粉末状のＳｉ又はＳｉＯｘ  （０＜ｘ≦２）を封入したガラス管を地中に埋設した場所で、前記第１過程にて処理されたＳｉ，ＳｉＯｘ  （０＜ｘ≦２），Ａｌ，Ｐ，Ｇｅ，Ｓｎ，Ｐｂ，Ｎｉ又はＦｅを焼成する第２過程とを有して得られることを特徴とする。
【００２３】
第４及び第５発明においては、第１過程で、負に帯電したＳｉ等が封入されたガラス管が埋設された場所でＳｉ等を静置し、又は負電荷が与えられた石英坩堝内にＳｉ等を静置するので、負電荷がＳｉ等に移行してＳｉ等が負電荷を帯びた状態になる。その後の第２過程で、前記場所でこのＳｉ等を焼成することにより、負電荷がＳｉ等に定着し、負電荷の経時的減少が抑制される。このようにして負に帯電したＳｉ等をガラス管に封入して静電気軽減具を構成し、家具に備えると、その使用時に負電荷が効率良く供給されて、人体に帯電した正の静電気が軽減する。
【００２４】
【発明の実施の形態】
以下、本発明をその実施の形態を示す図面に基づき具体的に説明する。
実施の形態１．
図１は、本発明の実施の形態１に係るベッドを示す斜視図であり、図中、１０はベッドである。
ベッド１０の短辺の中央部には、凹部１０ａ，１０ａが設けられており、凹部１０ａ，１０ａには、静電気軽減具４，４が収納されている。一方の静電気軽減具４のケースは銅製であり、他方の静電気軽減具４のケースはアルミニウム製である。
図２は、静電気軽減具４の断面図である。
静電気軽減具４のケースは棒状をなしており、ガラス管３１を収納するガラス管収納部５１と、偏心おもり部４０及びモータ３９を収納する偏心おもり部及びモータ収納部５２と、擬宝珠形の補助ガラス部３６を収納する補助ガラス部収納部５４とからなり、ガラス管収納部５１及び補助ガラス部収納部５４の端部にはそれぞれ孔が設けてある。
ガラス管３１及び補助ガラス部３６には、負に帯電したメタリックシリコン２が封入されている。
【００２５】
ガラス管３１は、両端を円錐状に形成して閉じたものであり、負に帯電したメタリックシリコン２が封入されている。ガラス管３１の直径は略１０ｃｍ、長さは略１５０ｃｍである。なお、ガラス管３１の端部は曲面状又は平面状に形成してもよい。
【００２６】
ガラス管３１及び補助ガラス部３６に封入されるメタリックシリコン２は、以下のようにして負に帯電させる。
図３は、本発明に係る静電気軽減具の製造に適用する負電荷付与装置を示す斜視図である。
負電荷付与装置は、石英坩堝５、銅板６、コード７及び静電気軽減除去装置８を備えたものである。静電気軽減除去装置８は、特開平１１−８７０８６号公報に開示されている。開口面の内径が略４０ｃｍ、高さが略４０ｃｍの石英坩堝５の開口側外縁部及び底部が、それぞれ銅板６及びコード７を介して静電気軽減除去装置８に接続されている。
静電気軽減除去装置８を作動させ、石英坩堝５にマイナスイオンを３時間程度供給し、石英坩堝５から正の静電気を十分に除去した後、Ｓｉ純度が９９．５％のメタリックシリコン（粒径０．２〜２ｍｍ）２を１ｋｇ、開口側から石英坩堝５に投入し、静電気軽減除去装置８を作動させた状態で、所定時間（３〜１５分）放置し、メタリックシリコン２に負電荷を付与させる。
【００２７】
次に、前記メタリックシリコン２を焼成する。
図４は、メタリックシリコン２を焼成する建物及び敷地を示す側面図であり、図５はその平面図である。１００坪の敷地２２の中央部に、建物２１（底面３．６ｍ×９．０ｍ）が建てられている。敷地２２の四隅と中央（建物２１の中央）には、地下５ｍの深さに、長さ１．５ｍ、直径８ｃｍのガラス管９１に、粒状又は粉末状の５〜６ｋｇの珪素（Ｓｉ）９２を封入、密閉したものであるイオン棒９（特許第２８９６７６２号）がその長手方向を上下方向に一致させて、埋設されている。建物２１の中央部には電気炉２３が配置されている。
【００２８】
上述のようにして負に帯電したメタリックシリコン２を石英坩堝５から陶器製の坩堝２４に移し、これを、電気炉２３に入れ、８００〜１３００℃で、３０分〜２時間焼成する。坩堝２４は底面の直径が３０ｃｍ、高さ２０ｃｍである。この坩堝２４も石英坩堝５と同様にして予め負電荷を付与されている。焼成後にメタリックシリコン２は赤、青、緑、黄、紫及びエンジのうちのいずれかの色になる。
なお、イオン棒９のガラス管９１の長さ及び直径、並びにＳｉ９２の量は、建物２１及び敷地２２の大きさ等により適宜選択すればよい。イオン棒９の埋設位置、深さ及びその個数も、建物２１及び敷地２２の大きさ及び形状等を考慮して適宜選択する。
そして、この実施形態においては、ガラス管９１にＳｉ９２を封入しているが、ＳｉＯｘ  を封入してもよい。この場合、ｘは、１．０＜ｘ≦２．０であるのが好ましい。
さらに、図３の負電荷付与装置を用いる代わりに、メタリックシリコン２を敷地２２内において１日から１週間以上放置し、その後焼成することにしてもよい。
【００２９】
焼成後のメタリックシリコン２を５ｋｇビニール袋に入れ、高さ２０ｃｍの位置から紙箱（３０ｃｍ×３０ｃｍ×１０ｃｍ）に移し替えたときに、紙箱の上方の静電電位を前記静電電位測定器で測定した結果を次の表１に示す。
【００３０】
【表１】
2004180927.tif 000003
【００３１】
表１よりメタリックシリコン２が負に帯電していることが判る。
【００３２】
次に、上述のメタリックシリコン２をガラス管３１に封入して静電気軽減具４を構成し、ガラス管３１より負電荷が供給され、周囲の正の静電気が零又は負に転じることを確認するために、ガラス管３１の周辺部の静電電位を測定した。測定条件は以下の通りである。
測定室：６ｍ×９ｍ×２．７ｍ
室温：２６℃
湿度：３０％
測定器：静電電位測定器（春日電気（株）製ＫＳＤ０１０３）
ガラス管３１の形状：直径３ｍｍ、長さ３０ｍｍ
測定方法：静電気軽減具４を絶縁体からなるテーブル上に載置して振動させ、ガラス管３１の先端から１ｃｍ離れた位置に前記静電電位測定器を載置して静電電位を測定した。また、テーブルから３０ｃｍの高さの位置で、室内の静電電位も測定した。その結果、室内の静電電位は０．０ｋＶ〜０．２ｋＶであったのに対し、ガラス管３１の先端から１ｃｍの距離における静電電位は０．０ｋＶであり、ガラス管３１により正の静電気が零に転じたことが確認された。
【００３３】
また、補助ガラス部３６を静電気軽減具４の他端側に取り付けなかった場合と取り付けた場合、それぞれにつきモータ３９の寿命を調べたところ、前者の場合はモータ３９の寿命が１００時間であったのに対し、後者の場合はモータ３９の寿命が３００時間であり、向上していることが判った。
【００３４】
以上のようにして製造され、ケースがそれぞれ銅製及びアルミニウム製である静電気軽減具４，４をそれぞれベッド１０の凹部１０ａ，１０ａに組み込んで、ベッド１０を製造する。
ベッド１０に備えられた静電気軽減具４のモータ３９を作動させると、このモータ３９により偏心おもり部４０が回転して、静電気軽減具４，４が振動し、ベッド１０全体が振動する。
従って、人はベッド１０に横になるだけで、静電気軽減具４，４から効率良く負電荷を付与されることになり、体に帯電していた正の静電気が軽減する。その結果、筋肉痛等の症状が軽減する。
そして、銅及びアルミニウムそれぞれからなるケースを備える静電気軽減具４，４を並設してあるので、電位差が生じて電気が流れやすくなり、さらに、効率良く静電気が軽減する
【００３５】
次に、ベッド１０を使用した場合の具体的な症例及び効果について説明する。
５０代の男性は、五十肩の症状があり、みぞおちに鈍痛があり、銭湯の電気風呂に入ると筋肉が痙攣状態になり、特にみぞおちから強く放電するのが感じられた。
本実施の形態に係るベッド１０に横になり、数時間、静電気軽減具４を振動させたところ、上げるのが困難であった腕を容易に上げられるようになり、肩及びみぞおちの鈍痛が軽快した。電気風呂に入っても筋肉が痙攣状態になることはなく、みぞおちから放電することはなかった。この状態は４日間、持続した。４日後には食欲が出、体力が増強した感じがした。歯茎に激しい痛みが発生したので、再度、本実施の形態に係るベッドを使用したところ、炎症はすぐに治まった。従来、その程度の痛みだと回復するのに１週間を要した。疲労の回復も早まった。
【００３６】
３０代の女性は、ここ１年位、胃が重く、恒常的な身体のむくみが取れなかったが、本実施の形態に係るベッド１０を４回使用したところ（毎回１時間、略１ヵ月の期間）、胃の痛みが完全に消え、身体のむくみがなくなった。
５０代の女性は、目の奥に違和感、重みがあったが、本実施の形態に係るベッド１０を３回使用したところ（毎回１時間半、略２週間の期間）、目の違和感がなくなり、視界が明るく、鮮明になった。
４０代の男性は、背中及び頭が重かったが、本実施の形態に係るベッド１０を１分間使用したところ、身体が軽くなった。
【００３７】
４０代の男性は、冷え性とちく膿の症状があったが、本実施の形態に係るベッド１０を４回使用したところ（毎回１時間半、略３週間の期間）、冷え性とちく膿の症状が軽減した。
５０代の女性は、肥満と顔のむくみ、肌荒れに悩んでいたが、本実施の形態に係るベッド１０を７回使用したところ（毎回１時間、略２ヵ月の期間）、食事の量は増えていたのに体重が３．８ｋｇ減量した。顔も小さくなり、肌の調子が良くなった。
５０代の女性は、乳癌のおそれがあって胸に重い違和感があったが、本実施の形態に係るベッド１０を６回使用したところ（毎回１時間、略２ヵ月の期間）、違和感が取れ、再検査したところ、形がきれいに変化し、転移もないと診断された。
【００３８】
４０代の女性は、２０年来の強い肩こり、腰痛、慢性の頭痛で気持ちの悪い日々が続いていた。本実施の形態に係るベッド１０を７回使用したところ（毎回１時間半、略２週間の期間）、３回目で肩こり、腰痛、頭痛がなくなる。体のむくみもとれ、肌の調子もよくなり、終了時にはウエストが５ｃｍ細くなった。
２０代の男性は、膝に痛みがあったが、本実施の形態に係るベッド１０を１時間使用したところ、膝の痛みがなくなった。
２０代の男性は、顔に吹き出物、湿疹があったが、本実施の形態に係るベッド１０を５回使用したところ、顔の吹き出物、湿疹が軽減した。
【００３９】
４０代の女性は、肩こりがあり、疲れやすかったが、本実施の形態に係るベッド１０を３回使用したところ（毎回１時間半、略１ヵ月の期間）、肩、頭がすっきりした。
２０代の女性は、急にひどい肌荒れになり、本実施の形態に係るベッド１０を１時間使用したところ、１週間後に、肌荒れが治まった。
【００４０】
図６は、本実施の形態に係る他のベッドを示す斜視図である。図中、図１と同一部分は同一符号を付してある。
このベッド１０においては、ベッド１０の短辺に平行に、凹部１０ａ，１０ａが２組設けられており、凹部１０ａ，１０ａ，１０ａ，１０ａには、静電気軽減具４，４，４，４が配されている。静電気軽減具４，４，４，４はケースが銅製のものと、アルミニウム製のものとが交互に配置されている。
このベッド１０においても、静電気軽減具４を作動させた状態で、ベッド１０に横になるだけで、人は効率良く負電荷を付与されることになり、体に帯電していた正の静電気が軽減し、その結果、筋肉痛等の症状が軽減することが確認された。
【００４１】
実施の形態２．
図７は、本発明の実施の形態２に係る椅子を示す斜視図であり、図中、１１は椅子である。
椅子１１の背もたれ部１１ａには、静電気軽減具１４，１４が、それぞれバンド１２及びポケット１３によって取り付けられている。一方の静電気軽減具１４のケースは銅製であり、他方の静電気軽減具１４のケースはアルミニウム製である。
【００４２】
図８は、静電気軽減具１４の断面図である。
静電気軽減具１４のケースは棒状をなしており、ガラス管３１を収納するガラス管収納部５１と、偏心おもり部４０を収納する偏心おもり部５２と、モータ３９を収納するモータ収納部５３と、擬宝珠形の補助ガラス部３６を収納する補助ガラス部収納部５４とからなり、ガラス管収納部５１及び補助ガラス部収納部５４の端部にはそれぞれ孔が設けてある。
ガラス管３１及び補助ガラス部３６には、実施の形態１と同様にして負に帯電したメタリックシリコン２が封入されている。なお、静電気軽減具１４には、ガラス管３１の長さが６０ｃｍであるロングタイプと、ガラス管３１の長さが１８ｃｍであるショートタイプと２種類ある。上述の図７の静電気軽減具１４は、ロングタイプである。
【００４３】
椅子１１に備えられた静電気軽減具１４のモータ３９を作動させると、このモータ３９により偏心おもり部４０が回転して、静電気軽減具１４，１４が振動し、椅子１１全体が振動する。
従って、人は椅子１１に座るだけで、効率良く負電荷を付与されることになり、体に帯電していた正の静電気が軽減される。その結果、筋肉痛等の症状が軽減する。
そして、銅及びアルミニウムそれぞれからなるケースを備える静電気軽減具１４，１４を並設してあるので、電位差が生じて電気が流れやすくなり、さらに、効率良く静電気が軽減する。
【００４４】
図９は、本実施の形態に係る他の椅子を示す斜視図である。図中、図７と同一部分は同一符号を付してある。
この椅子１１においては、背もたれ部１１ａ、座部１１ｂそれぞれに、ケースが銅製である静電気軽減具１４と、ケースがアルミニウム製である静電気軽減具１４とが横向きに配置されている。静電気軽減具１４は、いずれもショートタイプである。
この椅子１１においても、静電気軽減具１４を作動させた状態で、座るだけで、人は効率良く負電荷を付与されることになり、体に帯電していた正の静電気が軽減し、その結果、筋肉痛等の症状が軽減することが確認された。
【００４５】
図１０は、本実施の形態に係る他の椅子を示す斜視図である。図中、図７と同一部分は同一符号を付してある。
この椅子１１においては、背もたれ部１１ａに、ケースが銅製である静電気軽減具１４と、ケースがアルミニウム製である静電気軽減具１４とが、縦向きに交互に計４本配置されており、座部１１ｂには、ケースが銅製である静電気軽減具１４と、ケースがアルミニウム製である静電気軽減具１４とが横向きに配置されている。静電気軽減具１４は、背もたれ部１１ａに配置されているものがロングタイプであり、座部１１ｂに配置されているものがショートタイプである。
この椅子１１においても、静電気軽減具１４を作動させた状態で、座るだけで、人は効率良く負電荷を付与されることになり、体に帯電していた正の静電気が軽減し、その結果、筋肉痛等の症状が軽減することが確認された。
【００４６】
次に、この図１０の椅子１１を使用した場合の具体的な症例及び効果について説明する。試験は、医師の立会いのもと、被験者に、静電気軽減具１４を振動させた状態で、５０分間座ってもらうのを１０日間続けて実施した。
【００４７】
６０代の男性は、２１年間、胃炎を患っており、胃薬を服用している。試験中は服用を止めたが、７日目位から食べ過ぎても胸やけがしないようになった。
６０代の女性は、腰から臀部、右足にかけて神経痛の症状があったが、４日目位から痛みが軽くなり、夜もぐっすり眠られるようになった。
３０代の女性は、３年間、不眠症の症状があったが、試験初日にぐっすり眠られるようになり、２〜５日間はまた、不眠の状態になっが、７日目以降からまたぐっすり眠られるようになった。
６０代の男性は、１２年間、不整脈の症状があり、１日５〜６回、脈が飛び、少し長く歩くと動悸息切れがしたが、８日目位から脈が飛ぶのが少なくなり、動悸息切れが全くしないようになった。
【００４８】
以上のように、本発明のベッド１０及び椅子１１においては、静電気軽減具４及び１４のガラス管３１から負電荷が放出され、人体に帯電していた正の静電気を略零に、さらには負の静電気に変化させることができ、その結果、眠気、肩こり、五十肩、胃痛及び腰痛等の症状が軽減する。この静電気軽減具４及び１４による生理的作用のメカニズムは解明されていないが、人体に負電荷が効率よく供給されることにより、患部に滞留した正の静電気が負に転じて、体液等の流れが良くなり、血圧下降、血糖減少、血管拡張及び利尿促進等の生体作用が生じたためと考えられる。
【００４９】
なお、前記実施の形態においては、負電荷を付与されたメタリックシリコン２をガラス管３１及び補助ガラス部３６に封入した場合につき説明しているがこれに限定されるものではなく、珪砂等に負電荷を付与させたものを封入することにしてもよい。
また、前記実施の形態においては、Ｓｉ又はＳｉＯｘ  を負に帯電させてガラス管３１に封入した場合につき説明しているがこれに限定されるものではなく、Ａｌ、Ｐ、Ｇｅ、Ｓｎ、Ｐｂ、Ｎｉ又はＦｅ等を負に帯電させてガラス管３１に封入することにしてもよい。
【００５０】
さらに、前記実施の形態においては、ガラス管３１を振動させる場合につき説明しているがこれに限定されるものではなく、回転させることにしてもよい。本発明の静電気軽減具は種々の設計変更が可能である。
また、家具に備える静電気軽減具４又は１４の数は、前記実施の形態において説明した数に限定されるものではない。但し、銅及びアルミニウムそれぞれからなるケースを備える静電気軽減具４又は１４を交互に並設するのが好ましい。
【００５１】
【発明の効果】
以上、詳述したように、第１発明による場合は、家具の静電気軽減具が負に帯電したＳｉ等が封入されたガラス管を備えており、このガラス管の端部から負電荷が放出される。負電荷が生体に供給され、患部に帯電していた正の静電気が軽減すると、体液等の流れが良くなり、血圧下降、血糖減少、血管拡張及び利尿促進等の生体作用が生じることが知られているが、この静電気軽減具を備えるベッド等の家具を使用することにより、人はベッドに横になった状態又は椅子に座った状態で、効率良く、直接的に負電荷を供給されて、体に帯電していた静電気が軽減する。その結果、筋肉痛等の種々の症状が軽減する。
【００５２】
第２発明による場合は、静電気軽減具が他端部に補助ガラス部を備えており、その結果、使用する時間が短縮でき、駆動装置の長寿命化を図ることができるとともに、ガラス管の破損、及び不純物である二酸化鉄のガラス管内壁への付着を防止することができることが実験により確認されている。
【００５３】
第３発明による場合は、銅及びアルミニウムそれぞれからなるケースを備える静電気軽減具を交互に並設するので、電位差が生じて電気が流れやすくなり、さらに、効率良く静電気が軽減する。
【００５４】
第４及び第５発明による場合は、第１過程で、負に帯電したＳｉ等が封入されたガラス管が埋設された場所でＳｉ等を静置し、又は負電荷が与えられた石英坩堝内にＳｉ等を静置するので、負電荷がＳｉ等に移行してＳｉ等が負電荷を帯びた状態になる。その後の第２過程で、前記場所でこのＳｉ等を焼成することにより、負電荷がＳｉ等に定着し、負電荷の経時的減少が抑制される。このようにして負に帯電したＳｉ等をガラス管に封入して静電気軽減具を構成し、家具に組み込むと、その使用時に負電荷が効率良く供給されて、人体に帯電した正の静電気が軽減する。
【図面の簡単な説明】
【図１】本発明の実施の形態１に係るベッドを示す斜視図である。
【図２】本発明の実施の形態１に係る静電気軽減具を示す断面図である。
【図３】本発明に係る静電気軽減具の製造に適用する負電荷付与装置を示す斜視図である。
【図４】メタリックシリコンを焼成する建物及び敷地を示す側面図である。
【図５】メタリックシリコンを焼成する建物及び敷地を示す平面図である。
【図６】本発明の実施の形態１に係る他のベッドを示す斜視図である。
【図７】本発明の実施の形態２に係る椅子を示す斜視図である。
【図８】本発明の実施の形態２に係る静電気軽減具を示す断面図である。
【図９】本発明の実施の形態２に係る他の椅子を示す斜視図である。
【図１０】本発明の実施の形態２に係る他の椅子を示す斜視図である。
【符号の説明】
２    メタリックシリコン
４    静電気軽減具
１０  ベッド
１１  椅子
３１  ガラス管
３６  補助ガラス部
３９  モータ
４０  偏心おもり部
【図１】
2004180927.tif 000004
【図２】
2004180927.tif 000005
【図３】
2004180927.tif 000006
【図４】
2004180927.tif 000007
【図５】
2004180927.tif 000008
【図６】
2004180927.tif 000009
【図７】
2004180927.tif 000010
【図８】
2004180927.tif 000011
【図９】
2004180927.tif 000012
【図１０】
2004180927.tif 000013